(57)【要約】  【課題】音楽データの保存と再生との並行処理時において、煩雑な操作をすることなく、ユーザにとって不要な曲を的確に消去することのできる音声記録再生装置を提供すること。  【解決手段】記録媒体１０からの音楽データを記憶部１５０へ保存し、それに並行して記憶部１５０から音楽データを読み出し、読み出した音楽データを再生させることが可能な音声記録再生装置において、音楽データの再生中に、操作部１２０を介してユーザにより曲の消去が指示されると、再生中の曲を構成する音楽データを記憶部１５０から消去する手段を装備する。  【選択図】  図１
2005100630.tif 000002
【特許請求の範囲】
【請求項１】
記録媒体からの音楽データを再生速度よりも速い速度で記憶手段に保存する保存処理と
、前記記憶手段から音楽データを読み出し、読み出した該音楽データを再生させる再生処
理とを並行して行わせる制御手段を備えた音声記録再生装置において、
再生中の曲を保存することが不要であるとのユーザの意思表示に基づいて、再生中の曲
を構成する音楽データを前記記憶手段から消去する消去手段を備えていることを特徴とす
る音声記録再生装置。
【請求項２】
ユーザにより行われる消去を指示する操作が、再生中の曲を保存することが不要である
とのユーザの意思表示となるように構成されていることを特徴とする請求項１記載の音声
記録再生装置。
【請求項３】
ユーザにより行われる曲のスキップを指示する操作が、再生中の曲を保存することが不
要であるとのユーザの意思表示となるように構成されていることを特徴とする請求項１又
は請求項２記載の音声記録再生装置。
【発明の詳細な説明】
【技術分野】
【０００１】
本発明は音声記録再生装置に関し、より詳細には、音楽データの保存と再生とを並行処
理することが可能な音声記録再生装置に関する。
【背景技術】
【０００２】
近年、動画データや音声データなどの音楽データは、ディジタルデータとして扱われる
ことが一般的となっている。そして、ディジタルデータの高速伝送技術や、ＭＰＥＧ方式
に代表されるディジタルデータの圧縮技術の発達により、音楽データのサイズはより縮小
化され、その伝送速度はより高速化される傾向にある。
一方、音楽データを記録する記録媒体においても、ＤＶＤやハードディスクなどに代表
されるように大容量化が進められ、単一の記録媒体により多くの音楽データが収録される
ようになった。このような背景のもとで、音楽データの利用形態も変化してきている。
【０００３】
例えば、下記の特許文献１には、ハードディスク等の記録装置に格納された音楽データ
の読み出しと並行して、再生すべき時刻より所定時間だけ前に先読みされた音楽データを
補助記憶装置に保存する音声記録再生装置が開示されている。この音声記録再生装置によ
れば、記録媒体からの情報の読み出しができなくなっても、補助記憶装置に保存された音
楽データを利用することができるので、所定時間内にこれを回復させることで、連続した
再生を実現することができる。ただし、補助記憶装置に保存された音楽データは逐次上書
きされてしまい、再生しながらダビング保存することはできなかった。
【０００４】
最近では一般のパーソナルコンピュータによって、インターネット上のサーバから音楽
データをダウンロードすることができる。この場合、ダウンロードを実行するアプリケー
ションは、通常子プロセスを生成して与えられた各タスクに対応させるので、保存処理中
に他の音楽データを再生させることや、ダウンロード中に不要と判断した曲を削除するこ
とが可能である。
【０００５】
しかし、パーソナルコンピュータに接続されたＣＤドライブやＤＶＤドライブから録音
するときには、一般にユーザによる操作が制限されるか又は禁止される。さらに、このよ
うな操作にはマウス等の入力装置や広いモニタ画面を駆使した複雑な入力操作が不可欠と
なる。したがって、このような音声記録再生装置を車載用として用いると、この煩雑な操
作が安全運転を妨げる原因となる。そのため、このような音声記録再生装置は車載用には
不向きである。
【０００６】
一方、下記の特許文献２には、記録媒体に格納された音楽データを、再生速度以上の記
録速度で別の記録媒体に保存しつつ、再生する音声記録再生装置が開示されている。この
音声記録再生装置では、車両内で音楽情報を再生しつつ短時間で複写記録することができ
るようになっている。
【０００７】
しかしながら、特許文献２では、再生しながら保存する間のユーザによる操作について
は触れられていない。曲スキップや早送りなど、一般的な音声記録再生装置における操作
は、上述した音声記録再生装置においては、その保存処理や再生処理に支障を来す虞があ
り、これらの操作を許容するには様々な課題があるためと考えられる。したがって、保存
が終了するまでの間、ユーザによる操作が禁止されるものと考えられ、ユーザの満足度を
高めるものとはなっていない。
【０００８】
また、上述したような従来の音声記録再生装置では、ユーザが再生中に不要な曲と判断
し、その場で録音を中止しても、既にその再生中の曲は少なくとも部分的に保存されてし
まっており、記録容量の無駄使いを生じていた。さらに、上述したような従来の音声記録
再生装置では、再生より速い速度で保存が行われることが多いために、ユーザが再生中に
不要な曲と判断して録音を中止すると、他の曲の保存を中断してしまう虞があった。
【０００９】
従って、不要な曲と判断しても、その場で該当する曲を的確に消去することができず、
誤操作を防ぐため一通り保存が終了するまで待ち続け、その後、消去すべき曲を探し出す
必要があった。この消去作業は、不要な曲の放置による未整理の記録容量を拡大させない
ために必要であるが、曲数が増えるにつれ煩雑となる。
【特許文献１】特開平１０−１９９１４９号公報
【特許文献２】特開２００１−１５５４１１号公報
【発明の開示】
【課題を解決するための手段及びその効果】
【００１０】
本発明は上記課題に鑑みなされたものであって、音楽データの保存と再生との並行処理
時において、煩雑な操作をすることなく、ユーザにとって不要な曲を的確に消去すること
のできる音声記録再生装置を提供することを目的としている。
【００１１】
上記目的を達成するために本発明に係る音声記録再生装置（１）は、記録媒体からの音
楽データを再生速度よりも速い速度で記憶手段に保存する保存処理と、前記記憶手段から
音楽データを読み出し、読み出した該音楽データを再生させる再生処理とを並行して行わ
せる制御手段を備えた音声記録再生装置において、再生中の曲を保存することが不要であ
るとのユーザの意思表示に基づいて、再生中の曲を構成する音楽データを前記記憶手段か
ら消去する消去手段を備えていることを特徴としている。
【００１２】
上記音声記録再生装置（１）によれば、再生中の曲を保存することが不要であるとのユ
ーザの意思表示に基づいて、再生中の曲を構成する音楽データが前記記憶手段から消去さ
れる。例えば、ユーザにより消去指示ボタンが押下され、再生中の曲を構成する音楽デー
タを消去する指示がなされると、該当する音楽データが前記記憶手段から消去される。な
お、ここでの音楽データとは音情報を形成するディジタルデータをいう。
【００１３】
これにより、ユーザは再生中の曲を保存することが不要である旨の操作入力をするだけ
で、該当する曲を消去することができる。そのため、一通り保存が終了するまで待ち続け
、その後、消去すべき曲を探し出すといった面倒な操作をしなくて良いようにすることが
できる。また、前記記録媒体からの音楽データを再生速度よりも速い速度で前記記憶手段
に保存する前記保存処理が行われ、再生中の曲と、前記記憶手段へ保存中の曲とがずれて
きても、ユーザの所望する的確な消去を実現することができる。
【００１４】
また、本発明に係る音声記録再生装置（２）は、上記音声記録再生装置（１）において
、ユーザにより行われる消去を指示する操作が、再生中の曲が不要な曲であるとのユーザ
の意思表示となるように構成されていることを特徴としている。
【００１５】
上記音声記録再生装置（２）によれば、ユーザにより行われる消去を指示する操作が、
再生中の曲が不要であるとのユーザの意思表示となるので、例えば、ユーザは消去用ボタ
ンの押下といった単純な操作を行うだけで、所望の消去を実現させることができる。
【００１６】
また、本発明に係る音声記録再生装置（３）は、上記音声記録再生装置（１）又は（２
）において、ユーザにより行われる曲のスキップを指示する操作が、再生中の曲を保存す
ることが不要であるとのユーザの意思表示となるように構成されていることを特徴として
いる。
【００１７】
上記音声記録再生装置（３）によれば、ユーザにより行われる曲のスキップを指示する
操作が、再生中の曲が不要であるとのユーザの意思表示となるので、例えば、ユーザは曲
スキップボタンの押下といった単純な操作を行うだけで、再生中の曲を構成する音楽デー
タを前記記憶手段から消去することができる。
【００１８】
スキップされた曲というのは、ユーザにより好まれていない曲（すなわち、前記記憶手
段に保存するに値しない曲）と判断することができる。従って、ユーザの所望する消去を
的確に実現することができる。また、前記消去用ボタンと異なり、曲スキップボタンとい
うのは、通常の音楽プレーヤに装備されているため、消去専用の操作ボタンを新たに設け
る必要がなく、コストの低下を図ることができる。
【発明を実施するための最良の形態】
【００１９】
以下、本発明に係る音声記録再生装置の実施の形態を図面に基づいて説明する。図１は
、参考の形態（１）に係る音声記録再生装置の構成を概略的に示したブロック図である。
図示したように、参考の形態（１）に係る音声記録再生装置は、制御部１００、読込部１
１０、再生部１３０、一時記憶部１４０、記憶部１５０、及び操作部１２０を含んで構成
されている。これら各部はバス２０を介して接続されており、各部間でのデータ通信が可
能となっている。
【００２０】
読込部１１０は、制御部１００からの制御信号により制御され、ＣＤやＭＤ、ＤＶＤな
どの記録媒体１０に格納されている音楽データを読み込み、それをバス２０に逐次出力す
るものであり、ＣＤドライブやＭＤドライブ、ＤＶＤドライブなどを含んで構成されてい
る。
【００２１】
一時記憶部１４０は、制御部１００からの制御信号により制御され、バス２０から受信
した音楽データを逐次保存し、また、保存した音楽データをバス２０に出力するものであ
り、半導体メモリ等を含んで構成されている。なお、ここでの保存は一時的なものであり
、一時記憶部１４０の容量がいっぱいになると逐次上書きされていくようになっている。
【００２２】
記憶部１５０は、制御部１００からの制御信号により制御され、バス２０から受信した
音楽データを保存し、また、保存した音楽データをバス２０に出力するものであり、ハー
ドディスクやＤＶＤ等を含んで構成されている。
再生部１３０は、制御部１００からの制御信号により制御され、バス２０から受信した
音楽データをアナログ信号に変換して、スピーカ１３０Ａに出力するものであり、Ｄ／Ａ
変換回路や音声出力回路等を含んで構成されている。
操作部１２０は、ユーザによる操作入力を可能にし、操作入力情報を制御部１００に出
力するものであり、操作パネルやリモコンなどの入力装置を含んで構成されている。
【００２３】
制御部１００は、上記各部を制御するものであり、図示していないがＣＰＵやＲＡＭ、
ＲＯＭなどを含み、各部から受信した信号を基に演算処理を行い、各部に制御信号を出力
するように構成されている。そして操作部１２０を介して入力された操作入力情報を基に
、記録媒体１０から音楽データを読み込み、その音楽データを一時記憶部１４０に保存す
る読込処理（図１の１−１）、一時記憶部１４０から音楽データを読み出し、その音楽デ
ータを記憶部１５０に保存する保存処理（図１の１−２）、及び記憶部１５０から音楽デ
ータを読み出し、その音楽データを再生部１３０で再生させる再生処理（図１の１−３）
を並行的に行わせ得る構成となっている。読込処理、保存処理、及び再生処理を並行して
迅速に進めるため、ＣＰＵは各処理ごとに別々に設けられ、独立的に動作可能となってい
る。
【００２４】
図２は、参考の形態（１）に係る音声記録再生装置における制御部１００の動作を示し
たフローチャートである。
読込部１１０に記録媒体１０が挿入されると、ステップＳ２００において、ＣＤにおけ
るＴＯＣ（table of contents ）情報のように記録媒体１０に格納されているコンテンツ
情報を、読込部１１０から読み込み、曲マップを作成する。このとき、記憶部１５０に格
納されているコンテンツ情報を基に照合を行って、その記録媒体１０について、既保存領
域及び未保存領域を確定する。次に、ステップＳ２０１に進み、操作部１２０を介して読
込処理開始の旨を示す操作入力がなされたか否かを判断する。
【００２５】
なお、既保存領域とは、既に記憶手段（記憶部１５０）に保存されている音楽データで
構成される曲マップ（音楽ＣＤなどの記録媒体１０に格納され、記憶部１５０に保存可能
なすべての曲データを繋ぎ合わせたデータ配列）上の領域をいう。また、未保存領域とは
、保存されるべき音楽データのうち、未だ記憶手段（記憶部１５０）に保存されていない
音楽データで構成される曲マップ上の領域をいう。また、曲データとは１つの曲を構成す
る音楽データの集合をいう。
【００２６】
上記操作入力がなされたと判断すると、ステップＳ２０２に進んで、読込処理を開始す
る。これにより、読込部１１０は、記録媒体１０から読み込んだ音楽データを、所定の周
波数でバス２０に出力する処理を開始し、これに合わせて、制御部１００に含まれる読込
処理用回路は、読込部１１０から出力された音楽データを一時記憶部１４０に逐次保存す
る処理を開始する。
【００２７】
次に、ステップＳ２０３に進み、所定容量の音楽データが一時記憶部１４０に蓄積され
たか否かを判断する。所定容量の音楽データが蓄積されていないと判断すると、ステップ
Ｓ２０３に戻る一方、所定容量の音楽データが蓄積されたと判断すると、ステップＳ２０
４に進む。ステップＳ２０４では、一時記憶部１４０から所定容量分の音楽データを読み
出し、ステップＳ２０５に進んで、読み出した所定容量分の音楽データを記憶部１５０に
保存し、既保存領域及び未保存領域を更新する。
【００２８】
次に、ステップＳ２０６に進んで、記憶部１５０から所定容量分の音楽データを読み出
し、その後ステップＳ２０７に進んで、読み出した所定容量分の音楽データを再生部１３
０に伝送する。
次に、ステップＳ２０８に進み、操作部１２０を介して操作入力がなされたか否かを判
断する。操作入力がなされていないと判断するとステップＳ２０３に戻る一方、操作入力
がなされたと判断すると操作入力処理ステップＳ２０９に進んで、受信した操作入力情報
に基づく制御を行った後に、ステップＳ２１０に進む。ステップＳ２１０では、受信した
操作入力情報が処理の終了を示すものであるか否かを判断し、そうであると判断すると一
連の処理を終了し、そうでないと判断した場合にはステップＳ２０３に戻る。
【００２９】
なお、ユーザの操作入力に基づいて指定再生速度が更新されると、ステップＳ２０７に
おいて、制御部１００は、所定容量に圧縮又は伸長された音楽データを再生部１３０に伝
送する。例えば４倍の再生速度が指定されていると、再生速度を標準の再生速度より４倍
早く進めるため、所定容量の４倍の容量の音楽データを所定容量の音楽データに圧縮する
。また、指定再生速度が１倍以下のときは、逆に所定容量の音楽データに伸長する。ある
いは、負の再生速度が指定されていると、曲マップ上で再生位置の設定可能範囲を限定し
つつ、再生位置を逆に進める。これらは、それぞれ早送り再生機能、スロー再生機能及び
巻き戻し再生機能に該当する。なお、ここでの再生位置とは、曲マップにおいて再生処理
が行われている位置をいう。
【００３０】
図３は、図２に示した操作入力処理ステップＳ２０９を詳細に示したフローチャートで
ある。
図示したように、まずステップＳ３００で受信した操作入力は再生位置指定を含むか否
かを判断する。再生位置指定は、一般的なオーディオ機器における曲スキップボタンや曲
番号ボタンを用いて入力される。受信した操作入力が再生位置指定を含むと判断すると、
ステップＳ３０１に進む一方、再生位置指定を含まないと判断するとステップＳ３０２に
進む。
【００３１】
ステップＳ３０１では、再生位置指定により指定された指定再生位置は既保存領域内で
あるか否かを判断する。既保存領域内であると判断すると、ステップＳ３０３に進んで再
生位置を更新した後、操作入力処理ステップＳ２０９を終了する。一方、既保存領域内で
ないと判断すると、ステップＳ３０４に進んで、ユーザに無効な入力操作である旨を告知
した後、操作入力処理ステップＳ２０９を終了する。
【００３２】
また、ステップＳ３０２では、操作入力は再生速度指定を含むか否かを判断する。再生
速度指定は、一般的なオーディオ機器における早送りボタンや巻き戻しボタン、倍速再生
ボタン等を用いて入力される。再生速度指定を含むと判断すると、ステップＳ３０５に進
んで再生速度を更新した後、操作入力処理ステップＳ２０９を終了する。一方、再生速度
指定を含まないと判断した場合には、ステップＳ３０６に進んで、他の操作入力情報に基
づく制御を行った後、操作入力処理ステップＳ２０９を終了する。
【００３３】
図４（ａ）〜（ｃ）は、本参考の形態に係る音声記録再生装置による読込処理、保存処
理及び再生処理の曲マップ上での進捗状況を模式的に示した図である。ここでは、記録媒
体１０に格納されている曲Ａ〜曲Ｇの７曲を、再生しながら保存する場合を示しており、
曲Ａ〜曲Ｇの各曲データは矩形で示されており、読込処理、保存処理及び再生処理の各処
理の進み具合いが、各矩形内に記入された斜線で模式的に示されている。
【００３４】
図４（ａ）は、再生処理中に、再生位置指定がユーザにより入力される前の状態の一例
を示している。図示したように、再生処理は、曲Ａの途中の再生位置までしか進んでいな
いのに対し、読込処理及び保存処理は、それぞれ曲Ｄの途中の読込位置Ａ及び保存位置Ａ
まで進んでいる。読込処理及び保存処理は、音声に変換する必要がないため、迅速な処理
が可能であるからである。
【００３５】
制御部１００は、再生位置指定の操作入力信号を受信すると、読込処理、保存処理及び
再生処理を並行的に行わせるために、ユーザ指定の指定再生位置が既保存領域内、すなわ
ち図４（ａ）における保存処理の斜線部内であるか否かを判断し、入力された再生位置指
定を有効とするか否かを決定する。以下、例として、図示したように、ユーザ指定の指定
再生位置が既保存領域内にある曲Ｃの冒頭部（指定再生位置Ａ）である場合と、未保存領
域内にある曲Ｆの冒頭部（指定再生位置Ｂ）である場合とについて説明する。
【００３６】
図４（ｂ）は、図４（ａ）の状態において指定再生位置Ａが操作入力された場合を示し
ている。図示したように、指定再生位置Ａは既保存領域内にあるため、指定再生位置Ａか
らの再生処理を行わせても問題はないので、制御部１００は再生位置を指定再生位置Ａに
更新し、ここから再生処理を行わせる。
【００３７】
図４（ｃ）は、図４（ａ）において指定再生位置Ｂが操作入力された場合を示している
。図示したように、指定再生位置Ｂは未保存領域内にあるため、対応する音楽データはま
だ記憶部１５０に保存されていないので、ここから再生処理を行わせることはできない。
従って制御部１００は、指定再生位置Ｂの操作入力を無効として扱い、引き続き曲Ａの途
中から再生処理を行わせる。
【００３８】
このように、参考の形態（１）に係る音声記録再生装置によれば、再生位置指定が既保
存領域内に対して行われた場合に限り、指定再生位置からの再生処理を行わせるので、保
存処理中においても可能な範囲内で音声記録再生装置の操作をすることができる。
また、再生速度指定を行うことにより、スロー再生機能や早送り再生機能を実現するこ
とができ、ユーザの満足度を高めることができる。特に、早送り再生機能は、聴きながら
聴きたい音楽データを検索することができるので、便利なものである。
【００３９】
次に、参考の形態（２）に係る音声記録再生装置について説明する。参考の形態（２）
に係る音声記録再生装置では、指定再生位置が既保存領域か否かの判断した上で、読込位
置、保存位置及び再生位置をより細かく制御する。これにより、再生しながら保存する間
においても、再生処理に先立って再生位置以降の音楽データを既保存領域として確保でき
るので、再生処理が中断されるなどの不具合を避けつつ、ユーザが指定入力した指定再生
位置からの再生処理が可能となる。これにより、保存処理中にもユーザによる操作が禁止
されることなく、自由に操作をすることができ、ユーザの満足度をより高めることができ
る。
【００４０】
参考の形態（２）に係る音声記録再生装置の構成は、制御部を除いて図１に示したもの
と同様であるので、制御部には異なる符号を付し、ここではその他の構成の説明は省略す
る。図５は、図２に示されたステップＳ２０９に代わって、参考の形態（２）に係る音声
記録再生装置における制御部１００ａ（図１）が行う操作入力処理ステップＳ２０９Ａを
示したフローチャートである。
【００４１】
図示したように、まずステップＳ５００でユーザにより入力された操作入力は再生位置
指定を含むか否かを判断する。再生位置指定を含むと判断すると、ステップＳ５０１に進
む一方、再生位置指定を含まないと判断するとステップＳ５０２に進む。
ステップＳ５０１では、再生位置をユーザ指定の指定再生位置に更新し、次にステップ
Ｓ５０３に進み、前記指定再生位置が既保存領域内であるか否かを判断する。既保存領域
内であると判断すると、ステップＳ５０４に進んで、読込位置及び保存位置を指定再生位
置に続く未保存領域の冒頭部に更新した後、ステップＳ５０６に進む。一方、ステップＳ
５０３において既保存領域内でないと判断すると、ステップＳ５０５に進み、読込位置及
び保存位置を指定再生位置に更新した後、ステップＳ５０６に進む。ステップＳ５０６で
は、保存処理が中断された曲マップ上の位置を示す中断保存位置を基に未保存領域を更新
し、その後処理を終了する。
【００４２】
他方、ステップＳ５０２では、ユーザにより入力された操作入力が再生速度指定を含む
か否かを判断する。再生速度指定を含むと判断すると、ステップＳ５０７に進んで再生速
度を更新した後、処理を終了する。一方、再生速度指定を含まないと判断した場合には、
ステップＳ５０８に進んで、他の操作入力情報に基づく制御を行った後、処理を終了する
。
【００４３】
図６（ａ）〜（ｃ）は、参考の形態（２）に係る音声記録再生装置による読込処理、保
存処理及び再生処理の曲マップ上での進捗状況を模式的に示した図である。図４の場合と
同様に、記録媒体１０に格納されている曲Ａ〜曲Ｇの７曲を、再生しながら保存する場合
を示している。
【００４４】
図６（ａ）は、再生処理中に、再生位置指定がユーザにより入力される時の状態の一例
を示している。図示したように、再生処理は、曲Ａの途中で中断し、曲Ｆの冒頭部から再
開されており、ここで再生位置指定の入力があったことを示している。また、読込処理及
び保存処理についても、それぞれ曲Ｄ途中の読込位置Ｄ及び保存位置Ｄで中断され、曲Ｆ
の冒頭部から再開されている。
【００４５】
制御部１００ａは、再生位置指定の操作入力信号を受信すると、再生位置をユーザ指定
の指定再生位置に更新するが、読込処理、保存処理及び再生処理を並行的に行わせるため
に、ユーザ指定の指定再生位置が既保存領域内、すなわち図６（ａ）における保存処理の
斜線部内であるか否かを判断し、それぞれに応じた処理を行う。以下、例として、図示し
たように、前記指定再生位置が既保存領域内にある曲Ｄの冒頭部（指定再生位置Ｃ）であ
る場合と、未保存領域内にある曲Ｇの冒頭部（指定再生位置Ｄ）である場合とについて説
明する。
【００４６】
図６（ｂ）は、図６（ａ）の状態において指定再生位置Ｃが操作入力された場合を示し
ている。図示したように、指定再生位置Ｃは既保存領域内にあるが、指定再生位置Ｃから
の再生処理を行わせると、曲Ｄの途中から未保存領域となって音楽データを再生できなく
なる。そこで、指定再生位置Ｃ以降の再生処理を円滑に進行させるため、制御部１００ａ
は、指定再生位置Ｃに続く未保存領域の冒頭部、すなわち図中の保存位置Ｄから保存処理
を開始すべく、保存位置を保存位置Ｄに更新し、そのために読込位置も保存位置Ｄに更新
する。
そして、曲Ｆの途中の中断保存位置、すなわち図中の保存位置Ｅ以降が未保存領域とな
るので、この中断保存位置及び指定再生位置Ｃを基に、未保存領域を更新して、今後に備
える。
【００４７】
図６（ｃ）は、図６（ａ）の状態において指定再生位置Ｄが操作入力された場合を示し
ている。図示したように、指定再生位置Ｄは未保存領域内にあるため、対応する音楽デー
タはまだ記憶部１５０に保存されていない。そこで、制御部１００ａは、指定再生位置Ｄ
から保存処理及び再生処理を開始すべく、読込位置、保存位置及び再生位置を指定再生位
置Ｄに更新する。
【００４８】
このように、参考の形態（２）に係る音声記録再生装置によれば、再生しながら保存す
る間においても、再生処理に先立って再生位置以降の音楽データを既保存領域として確保
でき、再生処理が中断されるなどの不具合を避けつつ、ユーザが入力した指定再生位置か
らの再生処理が可能となる。これにより、保存処理中にもユーザによる操作が禁止される
ことなく、自由に操作をすることができ、ユーザの満足度をさらに高めることができる。
【００４９】
また、ユーザが操作入力した指定再生位置により保存処理が細かく制御され、ある保存
位置で中断された場合でも、その中断された保存位置を基に未保存領域を更新することが
でき、保存が完了していない領域を正確に保存してゆくことができる。
さらに、指定再生位置の曲データが既に保存されている場合には、未保存領域からの保
存処理を再開するので、既に保存された音楽データを改めて保存し直すといった時間的ロ
スをなくすことができる。
【００５０】
上述したような、参考の形態（１）又は（２）に係る音声記録再生装置では、通常、再
生処理が保存処理よりも遅れるため、再生中の曲データと、保存中の曲データとは異なる
曲である場合が多い。そのため、ユーザが再生中にこれは不要な曲であると判断しても、
この曲データを消去することは困難である。次に、再生中の不要な曲を容易に消去するこ
とができる音声記録再生装置について説明する。
【００５１】
実施の形態（１）に係る音声記録再生装置の構成は、制御部を除いて図１に示したもの
と同様であるので、制御部には異なる符号を付し、ここではその他の構成の説明は省略す
る。図７は、図２に示されたステップＳ２０９に代わって、実施の形態（１）に係る音声
記録再生装置における制御部１００ｂ（図１）が行う操作入力処理ステップＳ２０９Ｂを
示したフローチャートである。
【００５２】
図示したように、まずステップＳ７００でユーザにより入力された操作入力が消去指示
を含むか否かを判断する。消去指示を含まないと判断すると、ステップＳ７０４に進んで
、図５に示したような再生位置指定や再生速度指定など、他の操作入力情報に基づく制御
を行った後、処理を終了する一方、消去指示を含むと判断すると、ステップＳ７０１に進
む。
【００５３】
ステップＳ７０１では、再生位置から再生中であった曲データを特定し、次にステップ
Ｓ７０２に進み、該当する音楽データを記憶部１５０から消去する。この消去処理には通
常、長い処理時間が必要となるので、制御部１００ｂは、制御部１００ｂに含まれる消去
処理用回路に、この消去処理を独立的に行うよう指示して、ステップＳ７０３に進む。ス
テップＳ７０３では、消去された曲の曲データに該当する領域を保存不要領域に加えて、
保存不要領域を更新し、操作入力処理ステップＳ２０９Ｂを終了する。なお、保存不要領
域設定がなされない形態の場合には、ステップＳ７０３は不要となる。
【００５４】
図８（ａ）〜（ｃ）は、実施の形態（１）に係る音声記録再生装置による読込処理、保
存処理及び再生処理の曲マップ上での進捗状況を模式的に示した図である。図４と同様に
、記録媒体１０に格納されている曲Ａ〜曲Ｇの７曲を、再生しながら保存する場合を示し
ている。
【００５５】
図８（ａ）は、再生処理中に、消去指示がユーザにより入力される前の状態の一例を示
している。図示したように、再生処理は、曲Ｂの途中まで進んでおり、ここで、消去指示
の入力、又は消去指示及び再生位置指定の入力があった場合を示している。消去指示は、
その入力時において再生部１３０が再生していた曲データ、すなわち曲Ｂを構成する音楽
データを消去すべきことを指示することになる。
【００５６】
図８（ｂ）は、図８（ａ）において消去指示が入力された場合を示している。入力には
操作部１２０に設けられた消去用ボタンが用いられる。このように消去指示が入力される
と、制御部１００ｂは、曲Ｂを構成する音楽データを制御部１００ｂに含まれる消去処理
用回路に消去させる。
【００５７】
図８（ｃ）は、図８（ａ）において消去指示及び再生位置指定が入力された場合を示し
ている。入力には操作部１２０に設けた消去用ボタンに加えて曲スキップボタンが用いら
れる。このように消去指示が入力されると、制御部１００ｂは、曲Ｂを構成する音楽デー
タを制御部１００ｂに含まれる消去処理用回路に消去させ、上述したような方法で再生位
置を指定再生位置Ｅに更新する。
【００５８】
上記実施の形態（１）に係る音声記録再生装置によれば、ユーザにより再生中の曲を保
存することが不要であると判断され、操作部１２０に設けられた消去用ボタンが押下され
ると、再生中の曲を構成する音楽データが記憶部１５０から消去される。従って、記憶媒
体１０からの音楽データが再生速度よりも速い速度で記憶部１５０に保存されていて、再
生中の曲と、記憶部１５０へ保存中の曲とが異なる曲となっていても、再生中の曲を構成
する音楽データを消去させることができる。
【００５９】
これにより、ユーザは再生中の曲を保存することが不要である旨の操作入力をするだけ
で、該当する曲を消去することができる。そのため、一通り保存が終了するまで待ち続け
、その後、消去すべき曲を探し出すといった面倒な操作をしなくて良いようにすることが
できる。
【図面の簡単な説明】
【００６０】
【図１】参考の形態（１）に係る音声記録再生装置の構成を概略的に示したブロック図である。
【図２】参考の形態（１）に係る音声記録再生装置における制御部の動作を示したフローチャートである。
【図３】図２に示した操作入力処理ステップを詳細に示したフローチャートである。
【図４】参考の形態（１）に係る音声記録再生装置による読込処理、保存処理及び再生処理の曲マップ上での進捗状況を模式的に示した図であり、（ａ）は再生処理中に、再生位置指定がユーザにより入力される前の状態の一例、（ｂ）は指定再生位置Ａが操作入力された場合、（ｃ）は指定再生位置Ｂが操作入力された場合をそれぞれ示している。
【図５】参考の形態（２）に係る音声記録再生装置における制御部の動作を示したフローチャートである。
【図６】参考の形態（２）に係る音声記録再生装置による読込処理、保存処理及び再生処理の曲マップ上での進捗状況を模式的に示した図であり、（ａ）は再生処理中に、再生位置指定がユーザにより入力される前の状態の一例、（ｂ）は指定再生位置Ｃが操作入力された場合、（ｃ）は指定再生位置Ｄが操作入力された場合をそれぞれ示している。
【図７】本発明の実施の形態（１）に係る音声記録再生装置における制御部の動作を示したフローチャートである。
【図８】実施の形態（１）に係る音声記録再生装置による読込処理、保存処理及び再生処理の曲マップ上での進捗状況を模式的に示した図であり、（ａ）は再生処理中に、再生位置指定がユーザにより入力される前の状態の一例、（ｂ）は消去指示が入力された場合、（ｃ）は消去指示及び再生位置指定が入力された場合をそれぞれ示している。
【符号の説明】
【００６１】
１０  記録媒体
２０  バス
１００、１００ａ、１００ｂ  制御部
１１０  読込部
１２０  操作部
１３０  再生部
１３０Ａ  スピーカ
１４０  一時記憶部
１５０  記憶部
【図１】
2005100630.tif 000003
【図２】
2005100630.tif 000004
【図３】
2005100630.tif 000005
【図４】
2005100630.tif 000006
【図５】
2005100630.tif 000007
【図６】
2005100630.tif 000008
【図７】
2005100630.tif 000009
【図８】
2005100630.tif 000010